(57)【要約】  蓄電システム（１０）は、蓄電装置（３０）と、蓄電装置（３０）に接続配置される充放電スイッチ装置（６０）と、電源からの充電と蓄電装置から外部の負荷への放電を制御する充放電制御装置である制御ブロック（８０）と、蓄電装置（３０）と充放電スイッチ装置（６０）との間に設けられ、蓄電装置（３０）の異常の検知に従って、あるいは制御ブロック（８０）の指令に従って、蓄電装置（３０）との間の接続を遮断し、遮断したことを制御ブロック（８０）に通知する送受信機能付きの蓄電装置ブレーカ（５０）とを備える。制御ブロック（８０）は、ソフトウェア遮断指令部（１６２）の他にハードウェア遮断指令部（１６４）を有する。
2012050210.tif 000002
【特許請求の範囲】
【請求項１】
蓄電池を有し、電力源より供給される電力を充電し、該充電された電力を外部負荷に放電する蓄電装置の充放電を制御する制御装置であって、
前記蓄電池が異常を検知した際に発信する蓄電池異常検知信号を受信する受信部と、
前記蓄電池異常検知信号が予め定めた遮断基準を満たす異常である場合に、前記蓄電池に対応して設けられる蓄電池ブレーカに遮断指令を出力する出力部と、
遮断が実行されたことを示す遮断報告を受信する受信部を有する制御装置。
【請求項２】
前記蓄電池異常検知信号が予め定めた第１の基準を満たす場合、判断処理を伴わず、前記蓄電池ブレーカに直ちに遮断指令を出力する前記請求項１に記載の制御装置。
【請求項３】
前記蓄電池異常検知信号が予め定めた第１の基準を満たさない場合、遮断すべきか否かを判断し、遮断すべき異常であると判断した場合に前記蓄電池ブレーカに遮断指令を出力する前記請求項１に記載の制御装置。
【請求項４】
複数の蓄電池を有し、電力源より供給される電力を充電し、該充電された電力を外部負荷に放電する蓄電装置の充放電を制御する制御装置であって、
各蓄電池が異常を検知した際に個別に発信する蓄電池異常検知信号に基づいて、
当該制御装置に対応する全ての蓄電池の充電経路または放電経路の少なくとも一方を、前記蓄電池に対応して設けられる複数の蓄電池ブレーカによって遮断する制御装置。
【請求項５】
複数の蓄電池を有する蓄電装置と、電力源より供給される電力を充電し、該充電された電力を外部負荷に放電する前記蓄電装置の充放電を制御する制御装置と、を含む蓄電システムであって、
前記制御装置は、各蓄電池が、異常が生じた際に発信する蓄電池異常検知信号を受信する受信部と、
前記蓄電池異常検知信号が予め定めた遮断基準を満たす異常である場合に、前記蓄電池に対応して設けられる複数の蓄電池ブレーカに遮断指令を出力する出力部と、
遮断が実行されたことを示す遮断報告を受信する受信部を有する蓄電システム。
【請求項６】
前記制御装置は、前記蓄電池異常検知信号が予め定めた第１の基準を満たす場合、判断処理を伴わず、前記蓄電池ブレーカに直ちに遮断指令を出力する前記請求項５に記載の蓄電システム。
【請求項７】
前記制御装置は、前記蓄電池異常検知信号が予め定めた第１の基準を満たさない場合、遮断すべきか否かを判断し、遮断すべき異常であると判断した場合に前記蓄電池ブレーカに遮断指令を出力する前記請求項５に記載の蓄電システム。
【請求項８】
複数の蓄電池を有する蓄電装置と、
前記蓄電池に対応して設けられる複数の蓄電池ブレーカと、
電力源より供給される電力を充電し、該充電された電力を外部負荷に放電する前記蓄電装置の充放電を制御する制御装置と、を含む蓄電システムであって、
前記制御装置は、各蓄電池が異常を検知した際に個別に発信する蓄電池異常検知信号に基づいて、当該制御装置に対応する全ての蓄電池の充電経路または放電経路の少なくとも一方を、前記蓄電池ブレーカによって遮断する蓄電システム。
【請求項９】
前記蓄電池ブレーカは、
前記蓄電池の正極と接続される接続端子に設けられ、前記蓄電池の放電のための放電用抵抗素子の一方端を取り付けるためのブレーカ一方側接続部材と、
前記蓄電池の負極と接続される接続端子に設けられ、前記放電用抵抗素子の他方端を取り付けるためのブレーカ他方側接続部材と、
を有する前記請求項８に記載の蓄電システム。
【請求項１０】
前記蓄電池は、
前記蓄電池本体の出力電流または入力電流が流れる配線上に設けられるヒューズと、
前記蓄電池の正極側端子に設けられ、前記蓄電装置の放電のための放電用抵抗素子の一方端を取り付けるための蓄電池一方側接続部材と、
前記蓄電池の負極側端子に設けられ、前記放電用抵抗素子の他方端を取り付けるための蓄電池他方側接続部材と、
を有する前記請求項８に記載の蓄電システム。
【請求項１１】
前記蓄電池一方側接続部材は第１の分岐点を介して蓄電池本体の正極側端子から引き出され、前記蓄電池他方側接続部材は第２の分岐点を介して蓄電池本体の負極側端子から引き出され、
前記ヒューズは前記蓄池の出力電流または入力電流が流れる配線のうち、第１または第２の分岐点と前記ブレーカとの間に設けられる前記請求項８に記載の蓄電システム。
【発明の詳細な説明】
【技術分野】
【０００１】
本発明は、蓄電装置がブレーカを介して接続される蓄電システム及びその制御装置に関する。
【背景技術】
【０００２】
二次電池等の蓄電装置を利用することで、エネルギーの有効活用がなされている。例えば、近年、環境に優しいクリーンエネルギーとして太陽光発電システムの開発が盛んに行なわれているが、太陽光を電力に変換する光電変換アレイは蓄電機能を備えていないため、二次電池と組合わせて使用されることがある。例えば、光電変換アレイにより発電された電力を一旦二次電池に充電して、外部負荷の要求等に応じて二次電池から放電する充放電制御によってエネルギーの有効活用が行なわれている。【０００３】
そのように、二次電池と電源とを組合せて充放電制御を行なう蓄電システムを構成するときに、二次電池である蓄電装置を保護するために蓄電装置側にブレーカが設けられる。【０００４】
特許文献１には、蓄電池により給電されるインバータ回路を商用電源と併用した交流無停電電源装置の蓄電池劣化状態試験装置において、蓄電池を交換する際に充電回路と蓄電池の間に設けられるブレーカをオフするが交換後にオンし忘れたことを検出する方法として、蓄電池電圧監視手段を設け、さらにコンデンサをブレーカの充電回路側と接地の間に配置し、監視電圧の低下を検出しやすくすることが開示されている。【０００５】
なお、ブレーカとは別の蓄電装置保護技術として、特許文献２には、二次電池の充電方法として、充電と放電を繰り返すパルス充電によって電池性能の低下を防止しながら急速充電することが述べられている。ここでは、二次電池と並列にスイッチと放電抵抗を設けて放電回路が構成されている。
【先行技術文献】
【特許文献】
【０００６】
【特許文献１】特開平９−２３７６４０号公報
【特許文献２】特開平９−７６４１号公報
【発明の概要】
【発明が解決しようとする課題】
【０００７】
蓄電システムには、蓄電装置の他に、光電変換アレイ、電力変換装置、充放電制御装置等多くの構成要素を含むが、その中でも蓄電装置は高価である。蓄電装置の保護のために、ブレーカ、放電抵抗等の技術を用いることができるが、従来技術のブレーカは手動式で、特許文献１に述べられているように、オン・オフの検出が行なわれていないことが多い。また、高電圧の蓄電装置は筐体に収められるので、放電抵抗の取付が容易ではない。このように、蓄電装置を効果的に保護するには課題が残されている。【０００８】
本発明の目的は、効果的に蓄電装置を保護できる蓄電システム及び制御装置を提供することである。
【課題を解決するための手段】
【０００９】
本発明に係る制御装置は、蓄電池を有し、電力源より供給される電力を充電し、該充電された電力を外部負荷に放電する蓄電装置の充放電を制御する制御装置であって、蓄電池が異常を検知した際に発信する蓄電池異常検知信号を受信する受信部と、蓄電池異常検知信号が予め定めた遮断基準を満たす異常である場合に、蓄電池に対応して設けられる蓄電池ブレーカに遮断指令を出力する出力部と、遮断が実行されたことを示す遮断報告を受信する受信部を有する。【００１０】
本発明に係る他の制御装置は、複数の蓄電池を有し、電力源より供給される電力を充電し、該充電された電力を外部負荷に放電する蓄電装置の充放電を制御する制御装置であって、各蓄電池が異常を検知した際に個別に発信する蓄電池異常検知信号に基づいて、当該制御装置に対応する全ての蓄電池の充電経路または放電経路の少なくとも一方を、蓄電池ブレーカによって遮断する。【００１１】
本発明に係る蓄電システムは、上述の制御装置を有するものである。さらに、本発明に係る蓄電システムは、蓄電池の正極と接続される接続端子に設けられ、蓄電池の放電のための放電用抵抗素子の一方端を取り付けるためのブレーカ一方側接続部材と、蓄電池の負極と接続される接続端子に設けられ、放電用抵抗素子の他方端を取り付けるためのブレーカ他方側接続部材とからなる蓄電池ブレーカを含む。【００１２】
さらに、本発明に係る他の蓄電システムは、蓄電池本体の出力電流または入力電流が流れる配線上に設けられるヒューズと、蓄電池の正極側端子および負極側端子にそれぞれ放電用抵抗素子の端部を取り付けるための蓄電池一方側接続部材と蓄電池他方側接続部材を有する。
【発明の効果】
【００１３】
上記構成によれば、制御装置は、蓄電池異常検知信号を受信し、蓄電池異常検知信号が予め定めた遮断基準を満たす異常である場合に、蓄電池ブレーカに遮断指令を出力し、遮断が実行されたことを示す遮断報告を受信する。このように、電気信号によって蓄電装置ブレーカの動作を制御でき、その結果を知ることができるので、効果的に蓄電装置を保護することができる。また、１つの蓄電池の異常に対し、全部の蓄電池を遮断状態とすることにより、異常原因の所在が即座には判明しない場合に蓄電池の保護を優先し、さらに他の蓄電池への異常の波及を防止することができる。さらに、蓄電池とブレーカの間の経路上に接続部材を設けたため、蓄電池が過充電のまま遮断された際に、放電用抵抗素子を用いて安全に放電を行なうことができる。
【図面の簡単な説明】
【００１４】
【図１】本発明に係る実施の形態の蓄電システムの構成を示す図である。
【図２】本発明に係る実施の形態の蓄電システムにおける遮断制御を説明するために必要な部分を抜き出して示す図である。
【図３】本発明に係る実施の形態の蓄電システムにおける遮断制御を説明する模式図である。
【図４】本発明に係る実施の形態の蓄電システムにおいて、ブレーカに放電抵抗を用いる様子を示す図である。
【図５】図４において、放電電流の様子を示す図である。
【図６】図４に代えて、蓄電池に放電抵抗を用いる様子を示す図である。
【図７】図６において、放電電流の様子を示す図である。
【発明を実施するための形態】
【００１５】
以下に図面を用いて、本発明に係る実施の形態を詳細に説明する。以下では、蓄電池としてリチウムイオン電池を説明するが、これ以外の二次電池であってもよい。例えばニッケル水素電池、ニッケルカドミウム電池等であってもよい。
【００１６】
また、以下で、電力源として、太陽光発電電力と外部商用電力を説明するが、これ以外の電力源、例えば風力発電や燃料電池等による電力であってもよい。また、以下で述べる蓄電装置を構成する蓄電池の個数、太陽光発電のための光電変換アレイを構成する太陽光発電モジュール（パネル）の個数、電圧値等は、説明のための例示であり、蓄電システムの仕様等に応じ適宜変更が可能である。
【００１７】
また、以下では、全ての図面において同様の要素には同一の符号を付し、重複する説明を省略する。また、本文中の説明においては、必要に応じそれ以前に述べた符号を用いるものとする。
【００１８】
図１は、蓄電システム１０の構成を説明する図である。この蓄電システム１０は、蓄電装置３０と、負荷側ブレーカ２６と、蓄電装置ブレーカ５０と、充放電スイッチ装置６０と、制御ブロック８０を含んで構成される。なお、図１には、蓄電システム１０の構成要素ではないが、電源としての外部商用電源１２と、光電変換アレイ１４と、外部負荷としてのＡＣ負荷１６、ＤＣ負荷１８、ＤＣ負荷１８に適した直流電圧に変換するＤＣ／ＤＣコンバータ２８が図示されている。以下では、場合に応じて、交流をＡＣ、直流をＤＣとして示すこととする。なお、図１において太い実線は電力の流れを示し、端部に矢印が付されている細い実線は信号の流れを示す。
【００１９】
ＡＣ負荷１６は、交流電力で駆動される装置等であって、例えば、回転電機、空調装置、加工機械、組立機械等の機械装置である。ＤＣ負荷１８は、直流電力で駆動される装置等であって、例えば、事務機器、照明装置等である。これらを総称して外部負荷と呼ぶ。ＤＣ／ＤＣコンバータ２８は、例えば、蓄電装置３０から供給される９６Ｖの直流電力を約１２Ｖの直流電力として、事務機器等に適したものとする電圧変換器である。
【００２０】
電力源としての外部商用電源１２は、単相または三相の交流電力源であり、発電所から送電される一般的な商用電源である。電力源としての光電変換アレイ１４は、複数の太陽光発電モジュール（パネル）を組み合わせた直流電力源で、図１の例では、複数の太陽光発電モジュールを配置した太陽光発電ブロックが４組用いられている。この４組の太陽光発電ブロックは、互いに並列に接続されている。各太陽光発電ブロックに配置されている６個の太陽光発電モジュールを直列に接続すると約２４０Ｖの出力動作電圧とすることができ、各太陽光発電ブロックに配置されている太陽光発電モジュール３個を直列に接続し、これらを並列に接続すると、約１２０Ｖの出力動作電圧とすることができる。
【００２１】
切替装置２０は、光電変換アレイ１４を構成する複数の太陽光発電モジュール（パネル）の接続状態を変更し、上記のように、出力動作電圧を約２４０Ｖと約１２０Ｖの間で切り替える機能を有する接続切替装置である。切り替えによって出力動作電圧が切り替わるので、その観点からは電圧切替装置と呼ぶことができる。また、広い意味では、電源の形態を変更し、太陽光発電を２４０Ｖ直流電源または１２０Ｖ直流電源に変換するものであるので、電源変換装置の１種と考えることもできる。
【００２２】
また、切替装置２０は、光電変換アレイ１４の発電電力をＤＣ／ＡＣインバータ２２側または充放電スイッチ装置６０に択一的に切り替え可能に接続する機能を有する。
【００２３】
光電変換アレイ１４をＤＣ／ＡＣインバータ２２側に接続する場合には、６個の太陽光発電モジュールを直列に接続（直列接続形態）し、太陽光発電モジュールにおいて発電された電力を比較的高い電圧でＤＣ／ＡＣインバータ２２に供給することができる。直列接続形態においては、光電変換アレイ１４と充放電スイッチ装置６０は、電気的に切断されている。光電変換アレイ１４を充放電スイッチ装置６０に接続する場合には、太陽光発電モジュール３個を直列に接続し、これらを並列に接続（並列接続形態）し、太陽光発電モジュールにおいて発電された電力を比較的低い電圧で充放電スイッチ装置６０に供給することができる。並列接続形態においては、光電変換アレイ１４とＤＣ／ＡＣインバータ２２は、電気的に切断されている。
【００２４】
切替装置２０と制御ブロック８０とは図示されていないが通信線で結ばれ、制御ブロック８０からの指令で直列接続形態と並列接続形態との切替が行なわれ、また、現在がいずれの接続形態であるかの情報が制御ブロック８０に伝送される。ＤＣ／ＡＣインバータ２２に電力を供給する場合は、約２４０Ｖの出力動作電圧となる直列接続状態とされる。
【００２５】
ＤＣ／ＡＣインバータ２２は、直流電力を交流電力に変換する電力変換器で、広い意味の電源変換装置の１種と考えることができる。ＤＣ／ＡＣインバータ２２は、切替装置２０からの約２４０Ｖの直流電力を交流電力に変換し、ＡＣ負荷１６に供給する機能を有する。場合によっては外部商用電源１２側に戻す、いわゆる逆潮または売電を行うことができる。
【００２６】
ＡＣ／ＤＣコンバータ２４は、交流電力を直流電力に変換する電力変換器で、広い意味の電源変換装置の１種と考えることができる。ＡＣ／ＤＣコンバータ２４は、蓄電装置３０からＤＣ負荷１８へ直流電力が供給されないときに、バックアップ電力として、外部商用電源１２からの交流電力、またはＤＣ／ＡＣインバータ２２によって変換された交流電力を直流電力に変換するものである。例えば、蓄電装置３０が何かの理由で放電が制限されたとき等に、ＡＣ／ＤＣコンバータ２４を介して直流電力がＤＣ負荷１８に供給される。
【００２７】
ＡＣ／ＤＣコンバータ２４と制御ブロック８０とは、図示されていないが、ディジタルデータを交信できる通信線で接続され、制御ブロック８０から動作条件の設定、出力する直流電力の指令値（例えば、出力電圧値など）設定等が伝送され、ＡＣ／ＤＣコンバータ２４からは、動作状態データ等が制御ブロック８０に伝送される。
【００２８】
負荷側ブレーカ２６は、蓄電システム１０とＤＣ負荷１８の側との間に設けられる電力遮断装置である。負荷側ブレーカ２６は、蓄電装置３０等からの直流電力をＤＣ／ＤＣコンバータ２８を介してＤＣ負荷１８に供給する際に、予め定められた閾値以上の電流が流れるときに、電力の流れを遮断する機能を有する。
【００２９】
負荷側ブレーカ２６は手動式であって、接続状態である通電状態とするには、ユーザが手動でスイッチ操作を行なう。負荷側ブレーカ２６と制御ブロック８０とは、図示されていないが、ステータス信号を送信する通信線で接続され、制御ブロック８０では負荷側ブレーカ２６が現在接続状態にあるか遮断状態にあるかが分かる。
【００３０】
充放電スイッチ装置６０は、電力源から蓄電装置３０への充電と蓄電装置３０から外部の負荷への放電を行なうために蓄電装置３０に接続されるように配置される充放電切替装置である。具体的には、充電経路側として、切替装置２０と蓄電装置３０との間、放電経路側として、負荷側ブレーカ２６と蓄電装置３０との間に配置される。
【００３１】
充放電スイッチ装置６０は、充電経路側の充電スイッチ７０と、放電経路側の放電スイッチ７４と、複数の蓄電池３２，３４，３６の充電状態によって充電または放電する蓄電池を選択できる蓄電池選択回路６８とを含む。また、充放電状態を検出するために、蓄電装置３０側に蓄電装置側電流・電圧検知部６２，６４，６６が設けられ、また、充電スイッチ７０の切替装置２０側に充電側電流・電圧検知部７２が設けられ、放電スイッチ７４の負荷側ブレーカ２６側に放電側電流・電圧検知部７６が設けられる。
【００３２】
充電スイッチ７０と放電スイッチ７４は、電気信号でオン・オフする半導体スイッチ素子で、具体的には電界効果トランジスタ（ＦＥＴ）を用いることができる。蓄電装置側電流・電圧検知部６２，６４，６６と充電側電流・電圧検知部７２と放電側電流・電圧検知部７６は、電圧検出センサと電流検出センサで構成することができる。なお、蓄電装置３０は、図１で示されるように、同じ形状で且つ同じ性能の３つの蓄電池３２，３４，３６で構成されている。そして、それぞれの蓄電池３２，３４，３６に対応して、蓄電装置側電流・電圧検知部６２，６４，６６がそれぞれ設けられる。蓄電装置３０を構成する蓄電池の数は３つに限定されるものではなく、必要とされる電力に基づいて増減すればよいが、充電と放電の経路は、充放電スイッチ装置６０を設けることで蓄電システム１０として、あたかも１つの電池としてふるまうことが肝要である。
【００３３】
充電スイッチ７０と放電スイッチ７４は制御ブロック８０と充放電指令が伝送される通信線で接続される。制御ブロック８０からの充放電指令は、スイッチのオン・オフを示す０／１信号で行なわれる。蓄電装置側電流・電圧検知部６２，６４，６６と充電側電流・電圧検知部７２と放電側電流・電圧検知部７６は、それぞれ制御ブロック８０と、図示されていないが、検出された情報を送信できる通信線で接続される。
【００３４】
蓄電装置ブレーカ５０は、負荷側ブレーカ２６と同様に、予め定められた閾値以上の電流が流れるときに、電力の流れを遮断する機能を有する。蓄電装置ブレーカ５０は、蓄電装置３０と充放電スイッチ装置６０との間に設けられ、蓄電装置３０を構成する３つの蓄電池３２，３４，３６それぞれに対応した、３つのブレーカ５２，５４，５６で構成される。図１では、ブレーカ５２が蓄電池３２、ブレーカ５４が蓄電池３４、ブレーカ５６が蓄電池３６にそれぞれ対応して配置される。なお、３つのブレーカ５２，５４，５６は、同じ形状で且つ同じ性能の蓄電池ブレーカであるが、個々の蓄電池ブレーカと３つの蓄電池ブレーカの集合体である蓄電装置ブレーカ５０を区別するため、ここでは、個々の蓄電池ブレーカを単にブレーカ５２，５４，５６と呼ぶことにする。
【００３５】
蓄電装置ブレーカ５０は、制御ブロック８０との間でディジタルデータの送受信を行なう機能を有し、制御ブロック８０の指令によって接続状態から遮断状態への切替を行うことができ、また、現在の状態が接続状態か遮断状態かをステータス信号で制御ブロック８０に伝送する。指令信号とステータス信号は、共に０／１信号で伝送が行なわれる。これらの信号の伝送は、各ブレーカ５２，５４，５６ごとに行なわれる。また、蓄電装置ブレーカ５０は、負荷側ブレーカ２６と同様に、ユーザの手動によるスイッチ操作で、遮断状態から通電を行なう接続状態に切り替えることができる。
【００３６】
蓄電装置ブレーカ５０の送受信を行う機能は、例えば、各ブレーカ５２，５４，５６にＣＰＵを設けることによって実現することが考えられる。しかし、コストや故障率の高さを考慮して、以下のように簡略化した構成とすることが考えられる。すなわち、コイル５２−２，５４−２，５６−２、図示しない第１のスイッチおよび第２のスイッチから各ブレーカ５２，５４，５６を構成する。コイル５２−２，５４−２，５６−２は受信部として機能し、制御ブロック８０からの遮断指令に応じて磁力を発し、第１のスイッチを動作させる。続いて、第１のスイッチは遮断部として機能し、コイルの磁力に応じて回路を遮断する。第２のスイッチは図示しない制御ブロック８０からの配線上に設けられ、第１のスイッチに連動してオン・オフするスイッチである。制御ブロック８０は、遮断指令を出力した後、当該図示しない配線から第２のスイッチの一端に例えば５Ｖの所定の電圧を印加する。この時、第２のスイッチは第１のスイッチに連動しているため、第２のスイッチの他端は５Ｖとならない。このことが、制御ブロック８０に対してのいわば遮断されたことの確認信号となって送信される。逆に制御ブロック８０が遮断指令を出力したにも関わらず、第２のスイッチに印加した５Ｖの電圧が他端にそのままあらわれる場合、ブレーカが機能していないため、制御ブロック８０は警報を出すと共に充放電を停止するように立ち下げる。また、第２のスイッチと第１のスイッチとを逆に連動させ、ブレーカが回路を遮断したときにのみ、第２のスイッチの他端に５Ｖがあらわれるようにしてもよい。つまり、第２のスイッチは送信部として機能し、第１のスイッチ、即ちブレーカの遮断／接続状態を制御ブロック８０に送信する。
【００３７】
蓄電装置３０は、蓄電池３２，３４，３６が並列に接続されることにより構成される。蓄電池３２，３４，３６は複数のリチウムイオン単電池を組み合わせた組電池で、充放電可能な二次電池であり、各々２つの蓄電池パック９２，９４，９６が直列に接続された構成となっている。この蓄電池パック９２，９４，９６は、複数のリチウムイオン単電池が、直列および並列に組み合わされ、１つの組電池ケースの中に収容されたものである。
【００３８】
蓄電池状態検知部３８，４０，４２は、蓄電池パック９２，９４，９６ごとに、その組電池ケースの内部に配置されて設けられ、蓄電池パックの内部状態として、蓄電値パックの＋−間の電圧、蓄電池パックに流れる電流、蓄電池パック内部の温度等を検出して制御ブロック８０に伝送する機能を有するセンサ群である。また、内部状態として、過電流、過放電、過充電等の異常状態を検出して制御ブロック８０に伝送する機能も有する。蓄電池状態検知部３８，４０，４２と制御ブロック８０との間は、蓄電池パックの内部状態をディジタル信号として伝送できる信号線で接続される。
【００３９】
なお、蓄電池３２，３４，３６には蓄電池パックが２つずつ直列接続されており、蓄電池状態検知部は蓄電池パックごとに設けられるため、合計６つの蓄電池状態検知部が蓄電装置３０内に設けられることになる。蓄電池パック内に設けられた２つの蓄電池状態検知部からの信号線は、制御ブロック８０と接続されている。
【００４０】
このように、各蓄電池パック３２，３４，３６は、その組電池ケースの中に、各種センサと、その検出信号についての送受信回路を有している。なお、以下簡単のため、蓄電池３２，３４，３６のそれぞれに設けられた２つの蓄電池状態検知部を総称して、蓄電池状態検知部３８，４０，４２と呼ぶ。
【００４１】
制御ブロック８０は、蓄電システム１０の充放電に関し、各構成要素を全体として制御する機能を有する制御装置である。制御ブロック８０に接続される表示部８２は、自己診断機能等を実行する際のエラー内容等を表示することができる小型ディスプレイである。運転ランプ８４は蓄電システム１０が運転状態であるときに点灯する表示灯である。エラーランプ８６は、蓄電システム１０に異常が生じたときに点灯する警告表示灯である。したがって、蓄電システム１０が正常に運転されているときは、運転ランプ８４が点灯し、エラーランプ８６が消灯している。
【００４２】
制御ブロック８０は、上記のように蓄電システム１０の動作を全体として制御する機能を有する。制御ブロック８０は、充電スイッチ７０と放電スイッチ７４のオン・オフ制御によって蓄電装置３０の充放電を制御する充放電制御部１６０と、蓄電装置３０の異常の検知が予め定めた遮断基準を満たすときに、ソフトウェア処理によって蓄電装置ブレーカ５０に遮断指令を出力するソフトウェア遮断指令部１６２と、ハードウェア処理によって蓄電装置ブレーカ５０に遮断指令を出力するハードウェア遮断指令部１６４を含んで構成される。ソフトウェア遮断指令部１６２とハードウェア遮断指令部１６４は、ともに蓄電装置ブレーカ５０に遮断指令を出力する出力部である。また、この２つは、蓄電装置ブレーカ５０の遮断を管理する機能を有するので、蓄電装置ブレーカ遮断管理部と呼ぶことができる。
【００４３】
上記構成の作用、特に制御ブロック８０の遮断指令機能について以下に詳細に説明する。図２は、蓄電システム１０における遮断制御を説明するために必要な部分として、蓄電装置３０と蓄電装置ブレーカ５０と、制御ブロック８０のソフトウェア遮断指令部１６２と、ハードウェア遮断指令部１６４を抜き出して示す図である。ここでは、蓄電装置３０を構成する３つの蓄電池３２，３４，３６の中で、蓄電池３４に異常が検知された場合が示されている。
【００４４】
予め定めた遮断基準とは、蓄電装置３０を保護するために、蓄電装置ブレーカ５０を遮断することと定められた基準である。具体的には、蓄電池３２，３４，３６が過充電状態となったとき、過放電状態となったとき、充電電流値が予め定めた上限電流値を超える期間が予め定めた閾値期間を超えたとき、放電電流値が予め定めた上限電流値を超える期間が予め定めた閾値期間を超えたとき等を遮断基準として定めることができる。
【００４５】
蓄電装置３０の異常の検知は、蓄電池状態検知部３８，４０，４２によって行なわれ、その検知データは、信号線によって制御ブロック８０に伝送される。各蓄電池３２，３４，３６の異常検知を伝送する信号線は、３つの蓄電池状態検知部３８，４０，４２のそれぞれから制御ブロック８０に接続されるが、蓄電装置ブレーカ遮断管理部の前段で１つにまとめられる。したがって、３つの蓄電池状態検知部３８，４０，４２のいずれか１つが蓄電池異常検知信号を出すと、他の２つが異常を検知していなくても、全体として、蓄電装置３０が異常として検知されたものと扱われる。更に言えば、各電池パック内の６つの蓄電池状態検知部のいずれか１つが蓄電池異常検知信号を出すと、他の５つも蓄電装置３０が異常として検知されたものと扱われる。
【００４６】
全体として蓄電装置３０が異常として検知された信号は、ソフトウェア遮断指令部１６２とハードウェア遮断指令部１６４の双方に伝送される。ソフトウェア遮断指令部１６２では、信号データをソフトウェアで処理するＣＰＵであり、遮断指令が出るには、そのソフトウェア演算処理に要する時間後である。ハードウェア遮断指令部１６４は、異常検知信号に応答する高速スイッチング素子等を用いるので、ソフトウェア遮断指令部１６２の遮断信号より格段に迅速に遮断指令を出力することができる。
【００４７】
ハードウェア遮断指令部１６４は、蓄電池異常検知信号を受け、それがシステムの安全上規定されている閾値を超えていることを示す場合に、遮断基準を満たすものとして、ただちに遮断指令を出力する。例えば、蓄電池パック９２，９４，９６の各リチウムイオン単電池のセル電圧が満充電時で４Ｖと規定されているシステムにおいて、４．２２Ｖ以上である場合、また、各ブレーカ５２，５４，５６を流れる電流が上限電流値３０Ａを大きく超える３５Ｖ以上である場合などに、ハードウェア遮断指令部１６４により直ちに遮断指令が出される。このようにシステムの安全上規定されている閾値を超えているときを、第１の基準を満たすときと呼ぶことができる。
【００４８】
ハードウェア遮断指令部１６４から出力された遮断指令は１つの信号であるが、信号線が３つに分かれて、それぞれ、ブレーカ５２，５４，５６に遮断指令が伝送される。つまり、図２の例では、蓄電池３４が予め定めた遮断基準を満たし、他の蓄電池３２，３６は正常であるが、遮断指令は３つのブレーカ５２，５４，５６に同時に伝送されるので、３つの蓄電池３２，３４，３６とも遮断状態となる。複数の蓄電池３２，３４，３６を有する蓄電システム１０において、異常が検知された蓄電池３４のみを遮断することは、通常行われることであるが、異常の発生した蓄電池３４のみを遮断すると、充放電を残りの２つの蓄電池３２，３６で担う必要が突然生じ、通常の１．５倍の電流が集中してしまい、結果として、１つの蓄電池３４の異常が他の蓄電池３２，３６に連鎖して多重異常となることがある。この様な多重異常が発生すると、本来正常な蓄電池３２，３６までも交換が必要となる場合があり、異常からの復旧により長い時間がかかり、交換コストも３倍となってしまう。本蓄電システム１０では、異常が検出された蓄電池３４と共に、正常な蓄電池３２，３６も同時に遮断するので、多重異常を未然に防止できる。
【００４９】
なお、第１の基準を満たさない異常の場合は、ハードウェア遮断指令部１６４からは遮断指令は出力されない。この場合、ソフトウェア遮断指令部１６２によって異常の程度が判断され、通常の充放電では回復できず遮断が必要と判断されると、ソフトウェア遮断指令部１６２により遮断指令が出される。例えば、蓄電池パック９２，９４，９６の各リチウムイオン単電池のセル電圧が満充電時で４Ｖと規定されているシステムにおいて、４．１５Ｖ以上である場合、各ブレーカ５２，５４，５６を流れる電流が上限電流値である３０Ａ以上である場合等に、ソフトウェア遮断指令部１６２により遮断指令が出される。また、電流が３０Ａ以上流れる状態が１０秒間続いた場合には遮断基準を満たすとして遮断指令を出力してもよい。このような場合も、１つの蓄電池からの異常であっても、遮断指令は３つのブレーカ５２，５４，５６の全てに同時に伝送される。また、ブレーカ５２，５４，５６は送受信機能付きであるので、ブレーカ５２，５４，５６から実際に遮断されたか否かがソフトウェア遮断指令部１６２に通知される。
【００５０】
なお、第１の基準を満たしている場合に、ハードウェア遮断指令部１６４からの遮断指令に加え、ソフトウェア遮断指令部１６２からも遮断指令が出されるようにしてもよい。つまり、ソフトウェア遮断指令に１６２からとハードウェア遮断指令部１６４からの遮断指令が重複してもよい。
【００５１】
予め定めたいずれの遮断基準も満たさない異常の場合、例えば、蓄電池３４が過充電に近いと判定されたときは、正常な蓄電池３２，３６に異常が連鎖しないようシステム全体の充放電の電流値を調整した後、充放電スイッチ装置６０は蓄電池３４への充電を停止する等、正常動作で復旧を試みる。また、ソフトウェア遮断指令部１６２は、充放電制御部１６０、あるいは蓄電システム１０の他の検出装置や制御装置からの異常情報を受け取ってその内容を判断し、その判断に従って、ブレーカ５２，５４，５６に遮断指令を出すことができる。このような異常情報としては、充放電スイッチ装置６０における半導体スイッチ素子の故障や蓄電システム１０を設置した部屋あるいは周辺箇所の火災、地震その他の緊急事態が考えられる。また、ソフトウェア遮断指令部１６２には、各ブレーカ５２，５４，５６の現在の状態が接続状態か遮断状態かについてのステータス信号が伝送される。これによって、例えば、各ブレーカ５２，５４，５６が遮断指令に応じて正しく遮断動作したか否かを判断することができる。ブレーカ５２，５４，５６を個別にコントロールするためには、制御が複雑化するため、緊急時の確実な動作が担保されない。これに対し、本願による蓄電システム１０は、異常検知も遮断指令も１つの信号となっているため、簡単で故障しにくく、システム全体の高い信頼性を有する。
【００５２】
図３は、上記で説明した蓄電システム１０における遮断制御を説明する模式図である。ここで、ＬＩＢと示してあるのが蓄電池３２，３４，３６で、ＬＩＢはリチウムイオン電池の略称である。また、ＣＰＵとして示してあるのがソフトウェア遮断指令部１６２である。図３に示されるように、３つの蓄電池３２，３４，３６からの異常検知信号は１つにまとめられてソフトウェア遮断指令部１６２とハードウェア遮断指令部１６４に伝送される。そして、ハードウェア遮断指令部１６４は反射的に遮断指令を出力し、その結果としての遮断指令は、３つに分けられて、３つのブレーカ５２，５４，５６のそれぞれに伝送される。
【００５３】
このように１つの蓄電池の異常に対し、全部の蓄電池を遮断状態とするのは、異常原因の所在が即座には判明しない場合に、判断処理を行うことなく、蓄電池の保護を優先するためである。また、例えば、充放電制御部１６０や充放電スイッチ装置６０の動作が故障している場合、異常検知信号を先に出力した蓄電池を遮断しても、異常原因は解消しておらず他の蓄電池にも異常が波及することが考えられるためである。
【００５４】
また、ハードウェア遮断指令部１６４が迅速に処理を行なうにもかかわらずソフトウェア遮断指令部１６２に異常検知信号が伝送されるのは、第１に、蓄電装置３０、蓄電装置ブレーカ５０の状態をソフトウェア遮断指令部１６２で管理する必要があるからである。これによって、蓄電装置３０、蓄電装置ブレーカ５０の状態と各ブレーカ５２，５４，５６のステータス信号を照合し、蓄電システム１０が正常に動作していることを確認することが可能となる。ソフトウェア遮断指令部１６２が異常検知信号を受信した後、一定時間が過ぎても各ブレーカ５２，５４，５６が遮断されない場合は、重大な故障が発生したとみなし、蓄電システム１０の全体をオフする。第２に、何らかの原因で、ハードウェア遮断指令部１６４の処理の遅延や故障が発生した場合においても、ソフトウェア遮断指令部１６２からの遮断指令によってブレーカ５２，５４，５６を遮断できるようにし、安全性を高めるためである。
【００５５】
以上が遮断制御についての説明であるが、本構成によると、例えば、蓄電池３２，３４，３６が過充電となると、上記のように、ブレーカ５２，５４，５６が遮断されるので、過充電とされた蓄電池はそのまま過充電状態を維持することになる。蓄電池３２，３４，３６は上記のように複数のリチウムイオン単電池を組み合わせたもので、かなりの高電圧であるので、過充電のまま放置することは好ましくない。このような場合、放電用抵抗素子１９６を用いて放電を行なうことができる。以下、ブレーカ遮断時等の蓄電池３２，３４，３６の放電処理に関して述べる。
【００５６】
まず、図４および図６を用いてブレーカおよび蓄電池の構造について説明する。ここでは、簡単のため蓄電池は単一の蓄電池パックから構成されるものとし、蓄電池３６についてのみ図示しているが、蓄電池３２，３４についても同様の構成とする。まず、各ブレーカ５２，５４，５６には、２つの接続部材、すなわちブレーカ一方側接続部材１７０，１７２，１７４およびブレーカ他方側接続部材１７１，１７３，１７５が設けられている。
【００５７】
ブレーカ一方側接続部材１７０，１７２，１７４は、対応する蓄電池３２，３４，３６と接続されるプラス側の接続端子から引き出され、蓄電池放電用の放電用抵抗素子１９６の一方端を取り付けるための取付部材である。また、ブレーカ他方側接続部材１７１，１７３，１７５は、それぞれのブレーカのマイナス側の接続端子から引き出され、放電用抵抗素子１９６の他方端を取り付けるための取付部材である。
【００５８】
ここで、放電用抵抗素子１９６は、両端に接続用部材が設けられる抵抗体であり、普段は取り外されているが、何らかの要因によって蓄電池３２，３４，３６が過充電となった時に取り付けて放電を行う。抵抗値としては、蓄電池３２，３４，３６が過充電のときに、予め設定された設定放電時間内に適切なＳＯＣとなることができる値に設定される。特に、過充電と判定する充電量から適切となる充電量まで放電させたときの最高温度が６０℃以下であり、かつ、１時間以内に放電できる程度の抵抗値、あるいは構成にすることが望ましい。ここでＳＯＣとは、Ｓｔａｔｅ  Ｏｆ  Ｃｈａｒｇｅの略であり、ユーザが設定した最大貯蔵状態におけるＳＯＣ（充電度）を１００とし、それを基準にして電力の各貯蔵状態でのＳＯＣ（充電度）を百分率で表したものである。放電用抵抗素子１９６の両端の接続用部材のうち、一方端の接続用部材は、ブレーカ一方側接続部材１７０，１７２，１７４に接続しやすい形状とし、他方端の接続用部材は、ブレーカ他方側接続部材１７１，１７３，１７５に接続しやすい形状とすることがよい。
【００５９】
放電用抵抗素子１９６の一方端の接続用部材の形状と他方端の接続部材の形状とは異なるものとしてもよいが、抵抗体を流れる電流の方向に条件がなければ、同じ形状とすることが好ましい。放電用抵抗素子１９６の一方端の接続用部材の形状と他方端の接続部材の形状を同一とするときには、ブレーカ一方側接続部材１７０，１７２，１７４とブレーカ他方側接続部材１７１，１７３，１７５は全て同じ形状となる。例えば、放電用抵抗素子１９６の両端の接続用部材をプラグ状形状とし、ブレーカ一方側接続部材１７０，１７２，１７４とブレーカ他方側接続部材１７１，１７３，１７５をプラグ挿入穴とすることができる。プラグ挿入口は、ブレーカ５２，５４，５６の筐体外周部に設けるものとできる。
【００６０】
図４は、ブレーカ５６と蓄電池３６の詳細な構成を示すものであり、ブレーカ一方側接続部材１７４とブレーカ他方側接続部材１７５とが示されている。
【００６１】
また、各蓄電池３２，３４，３６には、電池パックの保護用にヒューズ１９０，１９２，１９４が設けられることがある。これらヒューズ１９０，１９２，１９４は、蓄電池３２，３４，３６の入力電流または出力電流が予め定められた溶断電流を超えるときに溶断する過電流保護素子である。ヒューズ１９０，１９２，１９４は、蓄電池３２，３４，３６の出力電流（入力電流）の流れる配線上に設けられる。
【００６２】
さらに、各蓄電池３２，３４，３６には、蓄電池一方側接続部材１８０，１８２，１８４と蓄電池他方側接続部材１８１，１８３，１８５が設けられる。蓄電池一方側接続部材１８０，１８２，１８４と蓄電池他方側接続部材１８１，１８３，１８５は、ブレーカ５２，５４，５６に放電用抵抗素子１９６を取り付けることができないような場合等に、ブレーカ５２，５４，５６に設けられるブレーカ一方側接続部材１７０，１７２，１７４と、ブレーカ他方側接続部材１７１，１７３，１７５に代わって用いることができる接続部材であり、ヒューズ１９０，１９２，１９４が溶断した場合に強制的に放電させるために用いられる。
【００６３】
図６は、蓄電池３６の詳細な構成を示すものであり、ヒューズ１９４、蓄電池一方側接続部材１８４と蓄電池他方側接続部材１８５とが示されている。また、図６に示すように、蓄電池一方側接続部材１８０，１８２，１８４は、第１の分岐点１９７を介して蓄電池本体の正極側端子から引き出され、蓄電池他方側接続部材１８１，１８３，１８５は、第２の分岐点１９８を介して蓄電池本体の負極側端子から引き出される。なお、ヒューズ１９０，１９２，１９４は、蓄電池３２，３４，３６の出力電流（入力電流）の流れる配線上のうち、分岐点１９７または１９８とブレーカ５２，５４，５６との間に設けられる。これにより、仮にヒューズが溶断した場合でも、放電用抵抗素子１９６を接続部材に取り付けることで、蓄電池３２，３４，３６の放電が可能となる。
【００６４】
上記のように、放電用抵抗素子１９６の両端の接続用部材をプラグ状形状とするときは、蓄電池一方側接続部材１８０，１８２，１８４と蓄電池他方側接続部材１８１，１８３，１８５を、蓄電池筐体外周部に設けられるプラグ挿入穴とすることができる。
【００６５】
次に、蓄電池３２，３４，３６の放電処理に関し、図４乃至図７を用いて回路の動作について説明する。
【００６６】
図４、図５は、蓄電池３６が過充電の場合の例であり、放電用抵抗素子１９６の両端のプラグ形状の接続用部材を、ブレーカ５６のブレーカ筐体外周部に設けられるプラグ挿入穴であるブレーカ一方側接続部材１７４とブレーカ他方側接続部材１７５に挿入する様子を示す図である。図４は放電用抵抗素子１９６の両端のプラグ形状をブレーカ５６のプラグ挿入穴に挿入する前の状態を示し、図５は、挿入したときの電流の流れを示す図である。このように、蓄電池３６の電荷が放電用抵抗素子１９６を流れることで熱として消費され、放電が行なわれ、過充電が解消される。
【００６７】
図６、図７は、蓄電池３６が過充電の場合の例であり、放電用抵抗素子１９６の両端のプラグ形状の接続用部材を、蓄電池３６の筐体外周部に設けられるプラグ挿入穴である蓄電池一方側接続部材１８４と蓄電池他方側接続部材１８５に挿入する様子を示す図である。図６は放電用抵抗素子１９６の両端のプラグ形状を蓄電池３６のプラグ挿入穴に挿入する前の状態を示し、図７は、挿入したときの電流の流れを示す図である。このように、蓄電池３６の電荷が放電用抵抗素子１９６を流れることで熱として消費され、放電が行なわれ、過充電が解消される。
【００６８】
なお、放電用抵抗素子１９６は、蓄電池３２，３４，３６の過充電解消のために限られず、放電をする必要があるときに、同様に用いることができる。また、放電用抵抗素子１９６の代わりに充電器および二次電池を用いれば、過充電解消時に放出される電力を無駄なく活用することができる。
【産業上の利用可能性】
【００６９】
本発明に係る蓄電システムは、複数の蓄電池とブレーカとを備えるシステムに利用できる。特に蓄電池が、複数の単電池を組み合わせた蓄電池パックである場合、各蓄電池パックの電圧が高いので、状態異常となった場合の火災発生を確実に防止し、蓄電システムの信頼性を高め、高価な蓄電池パックを確実に保護できるので、大規模蓄電システムに利用できる。
【符号の説明】
【００７０】
１０  蓄電システム、１２  外部商用電源、１４  光電変換アレイ、１６  ＡＣ負荷、１８  ＤＣ負荷、２０  切替装置、２２  ＤＣ／ＡＣインバータ、２４  ＡＣ／ＤＣコンバータ、２６  負荷側ブレーカ、２８  ＤＣ／ＤＣコンバータ、３０  蓄電装置、３２，３４，３６  蓄電池、３８，４０，４２  蓄電池状態検知部、５０  蓄電装置ブレーカ、５２，５４，５６  ブレーカ、５２−２，５４−２，５６−２  コイル、６０  充放電スイッチ装置、６２，６４，６６  蓄電装置側電流・電圧検知部、６８  蓄電池選択回路、７０  充電スイッチ、７２  充電側電流・電圧検知部、７４  放電スイッチ、７６  放電側電流・電圧検知部、８０  制御ブロック、８２  表示部、８４  運転ランプ、８６  エラーランプ、９２，９４，９６  蓄電池パック、１６０  充放電制御部、１６２  ソフトウェア遮断指令部、１６４  ハードウェア遮断指令部、１７０，１７２，１７４  ブレーカ一方側接続部材、１７１，１７３，１７５  ブレーカ他方側接続部材、１８０，１８２，１８４  蓄電池一方側接続部材、１８１，１８３，１８５  蓄電池他方側接続部材、１９０，１９２，１９４  ヒューズ、１９６  放電用抵抗素子、１９７，１９８  分岐点。
【図１】
2012050210.tif 000003
【図２】
2012050210.tif 000004
【図３】
2012050210.tif 000005
【図４】
2012050210.tif 000006
【図５】
2012050210.tif 000007
【図６】
2012050210.tif 000008
【図７】
2012050210.tif 000009
【手続補正書】
【提出日】平成24年4月16日(2012.4.16)
【手続補正１】
【補正対象書類名】明細書
【補正対象項目名】０００９
【補正方法】変更
【補正の内容】
【０００９】
本発明に係る制御装置は、蓄電池を有し、電力源より供給される電力を充電し、該充電された電力を外部負荷に放電する蓄電装置の充放電を制御する制御装置であって、蓄電池が異常を検知した際に発信する蓄電池異常検知信号を受信する検知受信部と、蓄電池異常検知信号が予め定めた遮断基準を満たす異常である場合に、蓄電池に対応して設けられる蓄電池ブレーカに遮断指令を出力する出力部と、遮断が実行されたことを示す遮断報告を受信する報告受信部を有する。
【手続補正２】
【補正対象書類名】特許請求の範囲
【補正対象項目名】全文
【補正方法】変更
【補正の内容】
【特許請求の範囲】
【請求項１】
蓄電池を有し、電力源より供給される電力を充電し、該充電された電力を外部負荷に放電する蓄電装置の充放電を制御する制御装置であって、
前記蓄電池が異常を検知した際に発信する蓄電池異常検知信号を受信する検知受信部と、
前記蓄電池異常検知信号が予め定めた遮断基準を満たす異常である場合に、前記蓄電池に対応して設けられる蓄電池ブレーカに遮断指令を出力する出力部と、
遮断が実行されたことを示す遮断報告を受信する報告受信部を有する制御装置。
【請求項２】
前記蓄電池異常検知信号が予め定めた第１の基準を満たす場合、判断処理を伴わず、前記蓄電池ブレーカに直ちに遮断指令を出力する前記請求項１に記載の制御装置。
【請求項３】
前記蓄電池異常検知信号が予め定めた第１の基準を満たさない場合、遮断すべきか否かを判断し、遮断すべき異常であると判断した場合に前記蓄電池ブレーカに遮断指令を出力する前記請求項１に記載の制御装置。
【請求項４】
複数の蓄電池を有し、電力源より供給される電力を充電し、該充電された電力を外部負荷に放電する蓄電装置の充放電を制御する制御装置であって、
各蓄電池が異常を検知した際に個別に発信する蓄電池異常検知信号に基づいて、
当該制御装置に対応する全ての蓄電池の充電経路または放電経路の少なくとも一方を、前記蓄電池に対応して設けられる複数の蓄電池ブレーカによって遮断する制御装置。
【請求項５】
複数の蓄電池を有する蓄電装置と、電力源より供給される電力を充電し、該充電された電力を外部負荷に放電する前記蓄電装置の充放電を制御する制御装置と、を含む蓄電システムであって、
前記制御装置は、各蓄電池が、異常が生じた際に発信する蓄電池異常検知信号を受信する検知受信部と、
前記蓄電池異常検知信号が予め定めた遮断基準を満たす異常である場合に、前記蓄電池に対応して設けられる複数の蓄電池ブレーカに遮断指令を出力する出力部と、
遮断が実行されたことを示す遮断報告を受信する報告受信部を有する蓄電システム。
【請求項６】
前記制御装置は、前記蓄電池異常検知信号が予め定めた第１の基準を満たす場合、判断処理を伴わず、前記蓄電池ブレーカに直ちに遮断指令を出力する前記請求項５に記載の蓄電システム。
【請求項７】
前記制御装置は、前記蓄電池異常検知信号が予め定めた第１の基準を満たさない場合、遮断すべきか否かを判断し、遮断すべき異常であると判断した場合に前記蓄電池ブレーカに遮断指令を出力する前記請求項５に記載の蓄電システム。
【請求項８】
複数の蓄電池を有する蓄電装置と、
前記蓄電池に対応して設けられる複数の蓄電池ブレーカと、
電力源より供給される電力を充電し、該充電された電力を外部負荷に放電する前記蓄電装置の充放電を制御する制御装置と、を含む蓄電システムであって、
前記制御装置は、各蓄電池が異常を検知した際に個別に発信する蓄電池異常検知信号に基づいて、当該制御装置に対応する全ての蓄電池の充電経路または放電経路の少なくとも一方を、前記蓄電池ブレーカによって遮断する蓄電システム。
【請求項９】
前記蓄電池ブレーカは、
前記蓄電池の正極と接続される接続端子に設けられ、前記蓄電池の放電のための放電用抵抗素子の一方端を取り付けるためのブレーカ一方側接続部材と、
前記蓄電池の負極と接続される接続端子に設けられ、前記放電用抵抗素子の他方端を取り付けるためのブレーカ他方側接続部材と、
を有する前記請求項８に記載の蓄電システム。
【請求項１０】
前記蓄電池は、
前記蓄電池本体の出力電流または入力電流が流れる配線上に設けられるヒューズと、
前記蓄電池の正極側端子に設けられ、前記蓄電装置の放電のための放電用抵抗素子の一方端を取り付けるための蓄電池一方側接続部材と、
前記蓄電池の負極側端子に設けられ、前記放電用抵抗素子の他方端を取り付けるための蓄電池他方側接続部材と、
を有する前記請求項８に記載の蓄電システム。
【請求項１１】
前記蓄電池一方側接続部材は第１の分岐点を介して蓄電池本体の正極側端子から引き出され、前記蓄電池他方側接続部材は第２の分岐点を介して蓄電池本体の負極側端子から引き出され、
前記ヒューズは前記蓄池の出力電流または入力電流が流れる配線のうち、第１または第２の分岐点と前記ブレーカとの間に設けられる前記請求項８に記載の蓄電システム。
【国際調査報告】
2012050210.tif 000010
2012050210.tif 000011
2012050210.tif 000012
2012050210.tif 000013